【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
１種または複数の無機顔料および抗菌化合物としての酸化銀を含む懸濁液を撹拌することによって得られる抗菌顔料。
【請求項２】
前記無機顔料が、薄片形状、球状または針状形状であることを特徴とする、請求項１に記載の抗菌顔料。
【請求項３】
前記無機顔料が、無機白色顔料、無機有色顔料、無機黒色顔料、効果顔料、発光顔料（luminous pigments）、炭酸マグネシウム、雲母、ＳｉＯ2、ＴｉＯ2、酸化アルミニウム、ガラス、雲母状酸化鉄、酸化黒鉛、酸化アルミニウム被覆黒鉛、塩基性炭酸鉛、硫酸バリウム、酸化クロムまたはＭｇＯであることを特徴とする、請求項１に記載の抗菌顔料。
【請求項４】
前記効果顔料が基材をベースとすることを特徴とする、請求項３に記載の抗菌顔料。
【請求項５】
前記基材が、天然または合成雲母、ＳｉＯ2、ＴｉＯ2、ＢｉＯＣｌ、酸化アルミニウム、ガラス、雲母状酸化鉄、黒鉛、酸化黒鉛、酸化アルミニウム被覆黒鉛、塩基性炭酸鉛、硫酸バリウム、酸化クロム、ＢＮ、ＭｇＯ、フッ化マグネシウム、Ｓｉ3Ｎ4、および／または金属からなる群から選択されることを特徴とする、請求項４に記載の抗菌顔料。
【請求項６】
前記基材が、ＢｉＯＣｌおよび／または透明、半透明もしくは不透明で、選択的もしくは非選択的吸収性または非吸収性の金属酸化物、金属亜酸化物、金属酸化物水和物、金属、金属窒化物、金属酸窒化物、金属フッ化物および／またはこれら材料の混合物の１種または複数の層でさらに被覆されていることを特徴とする、請求項５に記載の抗菌顔料。
【請求項７】
ＢｉＯＣｌ、および／または透明、半透明もしくは不透明で、選択的もしくは非選択的吸収性または非吸収性の金属酸化物、金属亜酸化物、金属酸化物水和物、金属、金属窒化物、金属酸窒化物、金属フッ化物および／またはこれら材料の混合物の前記１種または複数の層が、屈折率がｎ＞１．８である透明、半透明もしくは不透明で、選択的もしくは非選択的吸収性または非吸収性の金属酸化物、金属亜酸化物、金属酸化物水和物、金属、金属窒化物、金属酸窒化物、金属フッ化物および／またはこれら材料の混合物またはＢｉＯＣｌ、ならびに屈折率がｎ≦１．８である透明、半透明もしくは不透明で、選択的もしくは非選択的吸収性または非吸収性の金属酸化物、金属亜酸化物、金属酸化物水和物、金属、金属窒化物、金属酸窒化物、金属フッ化物および／またはこれら材料の混合物の交互層として配置されることを特徴とする、請求項６に記載の抗菌顔料。
【請求項８】
前記無機顔料の外側層が、透明、半透明もしくは不透明で、選択的もしくは非選択的吸収性または非吸収性の金属酸化物、金属亜酸化物、金属酸化物水和物および／またはこれら材料の混合物を含むことを特徴とする、請求項６または７に記載の抗菌顔料。
【請求項９】
前記の透明、半透明もしくは不透明で、選択的もしくは非選択的吸収性または非吸収性の金属酸化物、金属亜酸化物、金属酸化物水和物、金属、金属窒化物、金属酸窒化物、金属フッ化物および／またはこれら材料の混合物が、ドーパントとしての有機および／または無機の着色料または成分をさらに含むことを特徴とする、請求項６から８のいずれかに記載の抗菌顔料。
【請求項１０】
前記無機顔料が、金属酸化物、ＢｉＯＣｌ、炭酸マグネシウム、黒鉛、酸化黒鉛、酸化アルミニウム被覆黒鉛、塩基性炭酸鉛、硫酸バリウム、ＢＮ、フッ化マグネシウム、Ｓｉ3Ｎ4および／または金属の球状粒子または球状カプセルを含むことを特徴とする、請求項１に記載の抗菌顔料。
【請求項１１】
前記球状粒子または球状カプセルが、透明、半透明もしくは不透明で、選択的もしくは非選択的吸収性または非吸収性の金属酸化物、金属亜酸化物、金属酸化物水和物、金属、金属窒化物、金属酸窒化物、金属フッ化物および／またはこれら材料の混合物の１種または複数の層で被覆されていることを特徴とする請求項１０に記載の抗菌顔料。
【請求項１２】
前記抗菌顔料が、保護被覆層でさらに被覆されていることを特徴とする、請求項１から１１のいずれかに記載の抗菌顔料。
【請求項１３】
前記保護被覆が、シリカ、ケイ酸塩、ホウケイ酸塩、アルミノケイ酸塩、アルミナ、リン酸アルミニウム、またはそれらの混合物から選択されることを特徴とする、請求項１２に記載の抗菌顔料。
【請求項１４】
使用する無機顔料および抗菌顔料のＬ、ａおよびｂ値が、Ｌ値に対して−６≦ΔＬ≦６、ａ値に対して−５≦Δａ≦５、およびｂ値に対して−５≦Δｂ≦５の最大偏差を有することを特徴とする、請求項１に記載の抗菌顔料。
【請求項１５】
前記酸化銀が、ハロゲン化銀、硝酸銀、硫酸銀、カルボン酸銀、炭酸銀、クエン酸銀、酸化銅、硫化銅、硝酸銅、炭酸銅、硫酸銅、ハロゲン化銅、カルボン酸銅、酸化亜鉛、硫化亜鉛、ケイ酸亜鉛、酢酸亜鉛、塩化亜鉛、硝酸亜鉛、硫酸亜鉛、グルコン酸亜鉛、クエン酸亜鉛、リン酸亜鉛、プロピオン酸亜鉛、サリチル酸亜鉛、乳酸亜鉛、シュウ酸亜鉛、ヨウ素酸亜鉛、ヨウ化亜鉛、またはそれらの組合せで代替されることを特徴とする、請求項１に記載の抗菌顔料。
【請求項１６】
前記抗菌化合物の量が、前記無機顔料を基準にして０．００１〜１０重量％の範囲であることを特徴とする、請求項１に記載の抗菌顔料。
【請求項１７】
１種または複数の無機顔料および抗菌化合物としての酸化銀を含有する懸濁液を撹拌することを含む、抗菌顔料の調製方法。
【請求項１８】
前記調製が、水、エタノール、メタノール、１−プロパノール、２−プロパノールおよび／またはそれらの混合物中で実施されることを特徴とする、請求項１７に記載の方法。
【請求項１９】
調製温度が１０〜６０℃の間であることを特徴とする、請求項１７または１８に記載の方法。
【請求項２０】
前記酸化銀が、ハロゲン化銀、硝酸銀、硫酸銀、カルボン酸銀、炭酸銀、クエン酸銀、酸化銅、硫化銅、硝酸銅、炭酸銅、硫酸銅、ハロゲン化銅、カルボン酸銅、酸化亜鉛、硫化亜鉛、ケイ酸亜鉛、酢酸亜鉛、塩化亜鉛、硝酸亜鉛、硫酸亜鉛、グルコン酸亜鉛、クエン酸亜鉛、リン酸亜鉛、プロピオン酸亜鉛、サリチル酸亜鉛、乳酸亜鉛、シュウ酸亜鉛、ヨウ素酸亜鉛、ヨウ化亜鉛、またはそれらの組合せで代替されることを特徴とする、請求項１７から１９のいずれかに記載の方法。
【請求項２１】
前記抗菌化合物の量が、前記無機顔料を基準にして０．００１〜１０重量％の範囲であることを特徴とする、請求項１７から２０のいずれかに記載の方法。
【請求項２２】
前記抗菌顔料が、保護被覆層でさらに被覆されていることを特徴とする、請求項１７から２０のいずれかに記載の方法。
【請求項２３】
前記保護被覆が、シリカ、ケイ酸塩、ホウケイ酸塩、アルミノケイ酸塩、アルミナ、リン酸アルミニウム、またはそれらの混合物から選択されることを特徴とする、請求項２２に記載の方法。
【請求項２４】
前記被覆が、湿式化学的に実施されることを特徴とする、請求項２２または２３に記載の方法。
【請求項２５】
微生物の増殖および／または繁殖を抑制するための、請求項１に記載の抗菌顔料の使用。
【請求項２６】
配合物または応用物中での、請求項１に記載の顔料の使用。
【請求項２７】
前記抗菌顔料が、防腐剤および抗菌剤と組み合わされることを特徴とする、請求項２６に記載の使用。
【請求項２８】
前記抗菌顔料が、抗生物質と組み合わされることを特徴とする、請求項２６に記載の使用。
【請求項２９】
前記抗生物質が、β−ラクタム、バンコマイシン、マクロライド、テトラサイクリン、キノロン、フルオロキノロン、ニトロ化化合物、アミノグリコシド、フェニコール、リンコサミド、シナジスチン、ホスホマイシン、フシジン酸、オキサゾリジノン、リファマイシン、ポリミキシン、グラミシジン、チロシジン、グリコペプチド、スルホンアミドまたはトリメトプリムの群から選択されることを特徴とする、請求項２８に記載の使用。
【請求項３０】
口腔ケアのための、請求項１に記載の抗菌顔料の使用。
【請求項３１】
ヘルペスの予防および／または治療のための、請求項１に記載の抗菌顔料の使用。
【請求項３２】
請求項１に記載の抗菌顔料を含む配合物および／または応用物。
【請求項３３】
前記配合物が、微生物に適した基質からなる群から選択される少なくとも１種の化合物を含み、該微生物に適した基質が、官能基を有するまたは有さないアルカン、アルケン、アルキン、糖、ポリオール、アルコール、飽和または不飽和のカルボン酸、タンパク質、アミノ酸、水、脂肪酸、ワックス、脂肪、ミネラルオイル、塩、ホルモン、ステロイド、ビタミンおよび／またはそれらの誘導体もしくは塩から好ましくは選択されることを特徴とする、請求項３２に記載の配合物または応用物。